(57)【要約】【課題】ヒューズ回路構成体をハウジング内の適正な位置に容易に挿入する。【解決手段】連結プレート部６、１６とこの連結プレート部６、１６連鎖上に連結された複数の雌端子部８、１８及びビス止め用端子部９、１９とを有する第１及び第２ヒューズ回路構成体２、３と、この第１及び第２ヒューズ回路構成体２、３を挿入する回路体収容室２７を有するハウジング４とを備えたヒュージブルリンクユニット１であって、第１及び第２ヒューズ回路構成体２、３にはサイドフランジ部１５、２３をそれぞれ設け、ハウジング４には第１及び第２ヒューズ回路構成体２、３の挿入の際に各サイドフランジ部１５、２３をガイドするガイド溝２８をそれぞれ設けた。【選択図】      図１
2004194432.tif 000002
【特許請求の範囲】
【請求項１】
連結プレート部とこの連結プレート部に連鎖状に連結された複数の端子部とを有するヒューズ回路構成体と、このヒューズ回路構成体を挿入する回路体収容室を有するハウジングとを備えたヒュージブルリンクユニットであって、
前記ヒューズ回路構成体にはサイドフランジ部を設け、前記ハウジングには前記ヒューズ回路構成体の挿入の際に前記サイドフランジ部をガイドするガイド溝を設けたことを特徴とするヒュージブルリンクユニット。
【請求項２】
請求項１記載のヒュージブルリンクユニットであって、
前記サイドフランジ部は、ビスによって相手側ビス止め端子が締結されるビス止め用端子部に設けられ、ビス止め用端子部が端子支持部に配置された状態では前記サイドフランジ部が側壁部に当接する位置に配置されることを特徴とするヒュージブルリンクユニット。
【請求項３】
請求項１又は請求項２に記載されたヒュージブルリンクユニットであって、
前記ヒューズ回路構成体は、第１ヒューズ回路構成体と第２ヒューズ構成体の２枚であり、この第１及び第２ヒューズ回路構成体が共に同じ開口部より回路体収容室に挿入されることを特徴とするヒュージブルリンクユニット。
【請求項４】
請求項１乃至請求項３のいずれか一項に記載されたヒュージブルリンクユニットであって、
前記連結プレート部の挿入後端部を２枚折りに形成し、この２枚折りにした挿入後端部に治具係止用切欠き部を設けたことを特徴とするヒュージブルリンクユニット。
【発明の詳細な説明】
【０００１】
【発明の属する技術分野】
本発明は、複数の端子部が連鎖状に連結されたヒューズ回路構成体を有するヒュージブルリンクユニットに関する。
【０００２】
【従来の技術】
近年、剛性の高いブスバーより複数の端子部を連鎖状に連結したヒューズ回路構成体を形成し、このヒューズ回路構成体をハウジング内に収容する電気接続箱が種々提案されている（例えば、特許文献１及び特許文献２参照。）。
【０００３】
図９及び図１０に示すように、従来のヒュージブルリンクユニット１００は、第１及び第２ヒューズ回路構成体１０１、１０２とこれらヒューズ回路構成体１０１、１０２が組み込まれるハウジング１０３とを備えている。
【０００４】
第１ヒューズ回路構成体１０１は、図１１に詳しく示すように、連結プレート部１０４と、この連結プレート部１０４に各可溶体部１０５を介して連結された複数の雌端子部１０６ａ及びビス止め用端子部１０６ｂと、連結プレート部１０４の一端側より延設されたバッテリ接続用のビス止め用端子部１０７と、連結プレート部１０４の他端側に可溶体１０５ａを介して連結された共通端子部１０８とを有し、導電性を有する平面プレート材のプレス加工により形成される。各ビス止め用端子部１０６ｂ、１０７の先端部分にはサイドフランジ部１２２がそれぞれ突設されている。このサイドフランジ部１２２は、第１ヒューズ回路構成体１０１の剛性アップとビス止め時の廻り止め防止のために設けられている。
【０００５】
第２ヒューズ回路構成体１０２は、図１２に詳しく示すように、連結プレート部１０９と、この連結プレート部１０９に各可溶体部１１０を介して連結された複数の雌端子部１１１ａ及びビス止め用端子部１１１ｂと、連結プレート部１０９の他端側より延設された共通端子部１１２とを有し、導電性を有する平面プレート材のプレス加工により形成される。各ビス止め用端子部１１１ｂの先端部分にはサイドフランジ部１２２がそれぞれ突設されている。このサイドフランジ部１２２は、第１ヒューズ回路構成体１０１の剛性アップとビス止め時の廻り止め防止のために設けられている。
【０００６】
ハウジング１０３は、略直方体形状を有し、上方に開口部１１３を有する回路体収容室１１４が内部に形成されている。回路体収容室１１４の下方には複数のコネクタハウジング部１１５と複数の端子支持部１１６が設けられている。
【０００７】
上記構成において、図９に示すように、第１ヒューズ回路構成体１０１及び第２ヒューズ回路構成体１０２をそのフラット面方向を挿入方向とし、且つ、複数の端子部１０６ａ、１０６ｂ、１１１ａ、１１１ｂを挿入先端としてハウジング１０３の開口部１１３より回路体収容室１１４に挿入する。第１ヒューズ回路構成体１０１及び第２ヒューズ回路構成体１０２が完全に挿入されると、図１０に示すように、第１及び第２ヒューズ回路構成体１０１、１０２の各連結プレート部１０４、１０９が回路体収容室１１４に配置されると共に、各端子部１０６ａ、１０６ｂ、１１１ａ、１１１ｂがコネクタハウジング部１１５内や端子支持部１１６の所定位置にセットされる。
【０００８】
次に、第１及び第２ヒューズ回路構成体１０１、１０２の互いの共通端子部１０８、１１２をボルト１１７でハウジング１０３に共締めする。これによって第１ヒューズ回路構成体１０１と第２ヒューズ回路構成体１０２が電気的に接続され、第１ヒューズ回路構成体１０１及び第２ヒューズ回路構成体１０２によって所望のヒューズ回路が構成される。各コネクタハウジング部１１５内の各雌端子部１０６ａ、１１１ａには相手側コネクタ（図示せず）の各端子が接続される。
【０００９】
又、図１０及び図１３に示すように、バッテリ用端子１０７と端子支持部１１６の各ビス止め用端子部１０６ｂ、１０７、１１１ｂには圧入されたナット部材１１８とビス１２１によって相手側のビス止め端子１１９がそれぞれ接続される。このビス止めの際に、端子支持部１１６の側壁部１２３に当接したサイドフランジ部１２２が廻り止めを阻止する。相手側コネクタ（図示せず）の各端子及び各ビス止め端子１１９はケーブル１２０を介して各負荷にそれぞれ接続され、これら各負荷にバッテリからの電源がヒューズ回路を介して分配供給される。そして、負荷側の短絡事故などによって可溶体１０５、１１０に所定以上の電流が通電されると、可溶体１０５、１１０が発熱によって溶断し、過電流に基づく事故が防止される。
【００１０】
上記ヒュージブルリンクユニット１００にあっては、平板状の第１及び第２ヒューズ回路構成体１０１、１０２をハウジング１０３に組み込むことによりユニットを構成するため、多くの可溶体（ヒューズ箇所）１０５、１１０を有するヒューズ回路を非常にコンパクトに作成できるものである。
【００１１】
【特許文献１】
特開平９−２８４９５１号公報、第２頁、図１
【００１２】
【特許文献２】
特許第３１７５６３８号公報、第１頁、図１
【００１３】
【発明が解決しようとする課題】
しかしながら、上記ヒュージブルリンクユニット１００にあっては、第１及び第２ヒューズ回路構成体１０１、１０２をハウジング１０３の開口部１１３より回路体収容室１１４の適正な位置に挿入しなければならないが、第１及び第２ヒューズ回路構成体１０１、１０２の挿入先端部分を目視できない等の理由により挿入作業を容易に行うことができないという問題がある。回路体収容室１１４内への挿入過程で第１及び第２ヒューズ回路構成体１０１、１０２が適正な位置に挿入されないと、第１及び第２ヒューズ回路構成体１０１、１０２の雌端子部１０６ａ、１１１ａやビス止め用端子部１０６ｂ、１１１ｂがハウジング１０３に突き当たる。すると、これら端子部が容易に変形し、挿入作業のやり直しを強いられることになる。
【００１４】
そこで、本発明は、上記した課題を解決すべくなされたものであり、ヒューズ回路構成体をハウジング内の適正な位置に容易に挿入できるヒュージブルリンクユニットを提供することを目的とする。
【００１５】
【課題を解決するための手段】
請求項１の発明は、連結プレート部とこの連結プレート部に連鎖状に連結された複数の端子部とを有するヒューズ回路構成体と、このヒューズ回路構成体を挿入する回路体収容室を有するハウジングとを備えたヒュージブルリンクユニットであって、前記ヒューズ回路構成体にはサイドフランジ部を設け、前記ハウジングには前記ヒューズ回路構成体の挿入の際に前記サイドフランジ部をガイドするガイド溝を設けたことを特徴とする。
【００１６】
このヒュージブルリンクユニットでは、ヒューズ回路構成体をハウジングの回路体収容室に挿入する際に、ヒューズ回路構成体のサイドフランジ部をガイド溝内に配置した状態としてヒューズ回路構成体を挿入すると、サイドフランジ部がガイド溝にガイドされることによって回路体収容室に挿入される。
【００１７】
請求項２の発明は、請求項１記載のヒュージブルリンクユニットであって、前記サイドフランジ部は、ビスによって相手側のビス止め端子が締結されるビス止め用端子部に設けられ、ビス止め用端子部が端子支持部に配置された状態では前記サイドフランジ部が側壁部に当接する位置に配置されることを特徴とする。
【００１８】
このヒュージブルリンクユニットでは、請求項１の発明の作用に加え、サイドフランジ部がヒューズ回路構成体の剛性アップとビス止め時の廻り止め防止に寄与する。
【００１９】
請求項３の発明は、請求項１又は請求項２記載のヒュージブルリンクユニットであって、前記ヒューズ回路構成体は、第１ヒューズ回路構成体と第２ヒューズ構成体の２枚であり、この第１及び第２ヒューズ回路構成体が共に同じ開口部より回路体収容室に挿入されることを特徴とする。
【００２０】
このヒュージブルリンクユニットでは、請求項１又は請求項２の発明の作用に加え、第１ヒューズ回路構成体と第２ヒューズ回路構成体のサイドフランジ部の位置が異なる場合には、第１ヒューズ回路構成体と第２ヒューズ回路構成体の挿入位置を間違えるとサイドフランジ部とガイド溝の位置が一致しない。
【００２１】
請求項４の発明は、請求項１乃至請求項３のいずれか一項に記載されたヒュージブルリンクユニットであって、前記連結プレート部の挿入後端部を２枚折りに形成し、この２枚折りにした挿入後端部に治具係止用切欠き部を設けたことを特徴とする。
【００２２】
このヒュージブルリンクユニットでは、請求項１〜請求項３の発明の作用に加え、治具の押さえ部を治具係止用切欠き部に挿入した状態でヒューズ回路構成体をハウジング内に押し込むと、治具の押さえ部は治具係止用切欠き部の２つの端面に当接する状態で支持される。
【００２３】
【発明の実施の形態】
以下、本発明の実施形態を図面に基づいて説明する。
【００２４】
（第１実施形態）
図１〜図６は本発明の第１実施形態を示し、図１はヒュージブルリンクユニット１の分解斜視図、図２はヒュージブルリンクユニット１の正面図、図３は図２のＡ−Ａ線断面図、図４は図２のＢ−Ｂ線断面図、図５は図２のＣ−Ｃ線断面図、図６は図２のＤ−Ｄ線断面図である。
【００２５】
ヒュージブルリンクユニット１は、図１〜図６に示すように、ブスバーより形成された第１ヒューズ回路構成体（ヒューズ回路構成体）２と、同じくブスバーより形成された第２ヒューズ回路構成体（ヒューズ回路構成体）３と、これらヒューズ回路構成体２、３が互いに所定の間隔を開けて組み込まれるハウジング４と、このハウジング４の上面を塞ぐ透明カバー５とを備えている。
【００２６】
第１ヒューズ回路構成体２は、図１に詳しく示すように、細長い長方形状の連結プレート部６と、この連結プレート部６の短手方向に可溶体部７を介して連結されたものと可溶体を介することなく連結された２本の雌端子部（端子部）８と、連結用プレート部６の短手方向に可溶体部７を介して連結されたものと可溶体を介することなく連結された３本のビス止め用端子部（端子部）９と、連結プレート部６の長手方向に可溶体部１０を介して連結された差し込み係止部１１とを有し、導電性の平面プレート材をプレス加工することにより一体に形成されている。
【００２７】
各可溶体部７は、細幅でクランク状を有し、そのクランク形状の途中に低融点金属が加締め固定されるものであり、それぞれに所定値以上の電流が通電されると溶断する。
【００２８】
複数の雌端子部８と複数のビス止め用端子部９は、隣接するもの同士が間隔を置いて連鎖状に配置されている。差し込み係止部１１の一部は垂直方向に折曲され、この折曲部分が共通端子部１２として形成されている。
【００２９】
３本の各ビス止め用端子部９にはビス挿通孔１４が形成されていると共にその挿入先端部分にはサイドフランジ部１５がそれぞれ突設されている。
【００３０】
第２ヒューズ回路構成体３は、図１に詳しく示すように、細長い長方形状の連結プレート部１６と、この連結プレート部１６の短手方向に各可溶体部１７を介して連結された複数の雌端子部（端子部）１８と、連結用プレート部１６の短手方向に各可溶体部１７を介して連結されたものと可溶体を介することなく連結された複数のビス止め用端子部（端子部）１９と、連結プレート部１６の長手方向に延設され、且つ、ビス止め用端子部１９に一体的に連結された差し込み係止部２０とを有し、導電性の平面プレート材をプレス加工することにより一体に形成されている。
【００３１】
各可溶体１７は、第１ヒューズ回路構成体２の可溶体部７と同様に、細幅でクランク状を有し、そのクランク形状の途中に低融点金属が加締め固定されるものであり、それぞれに所定値以上の電流が通電されると溶断する。
【００３２】
複数の雌端子部１８と複数のビス止め用端子部１９は、第１ヒューズ回路構成体２のものと同様に、隣接するもの同士が間隔を置いて連鎖状に配置されている。差し込み係止部２０の一部は、第１ヒューズ回路構成体２のものと同じく垂直方向に折曲され、この折曲部分が共通端子部２１として形成されている。
【００３３】
２本の各ビス止め用端子部１９及び差し込み係止部２０にはビス挿通孔２２が形成されていると共にその挿入先端部分にはサイドフランジ部２３がそれぞれ突設されている。
【００３４】
又、第１ヒューズ回路構成体２の共通端子部１２と第２ヒューズ回路構成体３の共通端子部２１とは、ハウジング４に装着された状態にあってボルト２５の締結によって密着状態とされ、この双方の共通端子部１２、２１によってオルタネータ用端子２６が形成される。
【００３５】
ハウジング４は、図１〜図６に示すように、略直方体形状を有し、上方に開口部２７ａを有する回路体収容室２７が内部に形成されている。ハウジング４の両側には、第１及び第２ヒューズ回路構成体２、３の各サイドフランジ部１５、２３をガイドするガイド溝２８がそれぞれ設けられている。
【００３６】
回路体収容室２７の下方には複数のコネクタハウジング部２９と複数の端子支持部３０とが設けられている。
【００３７】
各コネクタハウジング部２９内は、第１及び第２ヒューズ回路構成体２、３の各雌端子部８、１８を所定位置で支持するようになっている。
【００３８】
各箇所の端子支持部３０は、図２及び図５に詳しく示すように、第１及び第２ヒューズ回路構成体２、３の各ビス止め用端子部９、１９の裏面側と側端側を支持するようになっており、各端子支持部３０の両外側には上下方向に沿って側壁部３１がそれぞれ突設されている。
【００３９】
透明カバー５は、図１及び図２に示すように、ハウジング４の上方に装着され、この透明カバー５によって開口部２７ａが塞がれる。
【００４０】
次に、上記ヒュージブルリンクユニット１の組み付けを簡単に説明する。第１ヒューズ回路構成体２及び第２ヒューズ回路構成体３をその平面方向を挿入方向とし、且つ、複数の雌端子部８、１８等を挿入先端としてハウジング４の開口部２７ａより回路体収容室２７に挿入する。第１ヒューズ回路構成体２及び第２ヒューズ回路構成体３が互いに所定の間隔を開けて完全に挿入されると、図２〜図６に示すように、第１及び第２ヒューズ回路構成体２、３の各連結プレート部６、１６が回路体収容室２７に配置されると共に、各端子部８、９、１８、１９がコネクタハウジング部２９内や端子支持部３０の所定位置にセットされる。
【００４１】
又、第１及び第２ヒューズ回路構成体２、３の互いの共通端子部１２、２１は、ボルト２５で締結され、双方の共通端子部１２、２１によってオルタネータ用端子２６が形成される。共通端子部１２、２１を介して第１ヒューズ回路構成体２と第２ヒューズ回路構成体３が電気的に接続されることによって所望のヒューズ回路が構成される。
【００４２】
次に、各端子部８、９、１８、１９に対して相手側端子（図示せず）の接続作業を行う。ここで、各端子支持部３０のビス止め用端子部９、１９にはナット部材３２とビス（図示せず）によって相手側ビス止め端子（図示せず）をそれぞれ接続する。このビス（図示せず）の締結作業の際に、従来例でも説明したように、端子支持部３０の側壁部３１に当接したサイドフランジ部１５、２３が廻り止めを阻止する。
【００４３】
このように作製されたヒュージブルリンクユニット１において、各負荷にバッテリ（図示せず）やオルタネータ（図示せず）からの電源がヒュージブルリンクユニット１のヒューズ回路を介して分配供給される。又、バッテリ（図示せず）の電源が少なくなると、オルタネータ（図示せず）よりバッテリ（図示せず）に電源が供給されることによって充電が行われる。そして、負荷側の短絡事故などによっていずれかの可溶体部７、１０、１７に所定以上の電流が通電されると、可溶体部７、１０、１７が発熱によって溶断し、過電流に基づく事故が防止される。
【００４４】
以上、このヒュージブルリンクユニット１では、第１及び第２ヒューズ回路構成体２、３をハウジング４の回路体収容室２７に挿入する際に、第１及び第２ヒューズ回路構成体２、３のサイドフランジ部１５、２３をガイド溝２８内に配置した状態として第１及び第２ヒューズ回路構成体２、３をそれぞれ挿入するため、サイドフランジ部１５、２３がガイド溝２８にガイドされることによって回路体収容室２７に挿入される。従って、第１及び第２ヒューズ回路構成体２、３をハウジング４内の適正な位置に容易に挿入できる。第１及び第２ヒューズ回路構成体２、３が適正な位置に挿入されるため、挿入過程で第１及び第２ヒューズ回路構成体２、３の各端子部８、９、１８、１９がハウジング４の内壁に突き当たって変形したりする不具合を未然に防止できる。
【００４５】
第１実施形態では、サイドフランジ部１５、２３は、ビス（図示せず）によって相手側ビス止め端子（図示せず）が締結されるビス止め用端子部９、１９に設けられる。そして、ビス止め用端子部９、１９が端子支持部３０に配置された状態ではサイドフランジ部１５、２３が側壁部３２に当接する位置に配置されるため、サイドフランジ部１５、２３が第１及び第２ヒューズ回路構成体２、３の剛性アップとビス止め時の廻り止め防止に寄与する。従って、第１及び第２ヒューズ回路構成体２、３に既にサイドフランジ部１５、２３が設けられている場合には、ハウジング４にガイド溝２８を形成するという簡単な設計変更によって第１及び第２ヒューズ回路構成体２、３のスムーズな挿入を可能にできる。
【００４６】
又、第１実施形態では、ヒューズ回路構成体は、第１ヒューズ回路構成体２と第２ヒューズ構成体３の２枚であり、この第１及び第２ヒューズ回路構成体２、３が共に同じ開口部２７ａより回路体収容室２７に挿入される。従って、第１実施形態のように、第１ヒューズ回路構成体２と第２ヒューズ回路構成体３の各サイドフランジ部１５、２３の位置が異なる場合には、第１ヒューズ回路構成体２と第２ヒューズ回路構成体３の挿入位置を間違えるとサイドフランジ部１５、２３とガイド溝２８の位置が一致しない。これにより、第１ヒューズ回路構成体２と第２ヒューズ回路構成体３の入れ間違いを挿入の初期段階で認識でき、挿入ミスを防止できる。
【００４７】
（第２実施形態）
図７及び図８は本発明の第２実施形態を示し、図７は第１ヒューズ回路構成体２Ａの斜視図、図８は第２ヒューズ回路構成体３Ａの斜視図である。
【００４８】
この第２実施形態の第１ヒューズ回路構成体２Ａ及び第２ヒューズ回路構成体３Ａは、前記第１実施形態のものと比較して、各連結プレート部６、１６の挿入後端部６ａ、１６ａが２枚折りに形成され、この２枚折りにした挿入後端部６ａ、１６ａに治具係止用切欠き部４０が２箇所に設けられている。それ以外の第１及び第２ヒューズ回路構成体２Ａ、３Ａの構成は、端子部の配置・数などが異なるものの概略同様であるため、図面に同一符号を付してその説明を省略する。又、ハウジング（図示せず）等の構成も第１実施形態のものと略同様に構成されている。
【００４９】
この第２実施形態によれば、治具（図示せず）の押さえ部を治具係止用切欠き部４０に挿入した状態で第１及び第２ヒューズ回路構成体２Ａ、３Ａをハウジング内にそれぞれ押し込むと、治具（図示せず）の押さえ部は治具係止用切欠き部４０の２つの端面に当接する状態で支持される。従って、第１及び第２ヒューズ回路構成体２Ａ、３Ａより外れることなく確実に押圧力を伝達でき、第１及び第２ヒューズ回路構成体２Ａ、３Ａの挿入作業性が向上する。
【００５０】
つまり、第１及び第２ヒューズ回路構成体２Ａ、３Ａのブスバー容量を大きくして温度上昇低減を図るために、上述したように連結プレート部６、１６の部分を２枚折りにすると、治具（図示せず）の押さえ部によって連結プレート部６、１６のアール形状の挿入後端部６ａ、１６ａを押圧することになり、スムーズに押し込むことができない。第２実施形態では、このような不具合を防止して、組み付け性を向上させたものである。
【００５１】
尚、前記第１及び第２実施形態によれば、第１及び第２ヒューズ回路構成体２、３の２枚でヒューズ回路を形成したが、本発明は、ヒューズ回路構成体を１枚のみで形成する場合にも、３枚以上で形成する場合にも同様に適用できる。
【００５２】
【発明の効果】
以上説明したように、請求項１の発明によれば、ヒューズ回路構成体をハウジングの回路体収容室に挿入する際に、ヒューズ回路構成体のサイドフランジ部をガイド溝内に配置した状態としてヒューズ回路構成体を挿入すると、サイドフランジ部がガイド溝にガイドされることによって回路体収容室に挿入される。従って、ヒューズ回路構成体をハウジング内の適正な位置に容易に挿入できる。ヒューズ回路構成体が適正な位置に挿入されるため、挿入過程でヒューズ回路構成体の端子部がハウジングに突き当たって変形したりする不具合を未然に防止できる。
【００５３】
請求項２の発明によれば、サイドフランジ部がヒューズ回路構成体の剛性アップとビス止め時の廻り止め防止に寄与する。そして、このような目的のためにヒューズ回路構成体に既にサイドフランジ部が設けられている場合には、ハウジングにガイド溝を形成するという簡単な設計変更によってヒューズ回路構成体のスムーズな挿入を可能にできる。
【００５４】
請求項３の発明によれば、第１ヒューズ回路構成体と第２ヒューズ回路構成体のサイドフランジ部の位置が異なる場合には、第１ヒューズ回路構成体と第２ヒューズ回路構成体の挿入位置を間違えるとサイドフランジ部とガイド溝の位置が一致しない。これにより、第１ヒューズ回路構成体と第２ヒューズ回路構成体の入れ間違いを挿入の初期段階で認識でき、挿入ミスを防止できる。
【００５５】
請求項４の発明によれば、治具の押さえ部を治具係止用切欠き部に挿入した状態でヒューズ回路構成体をハウジング内に押し込むと、治具の押さえ部は治具係止用切欠き部の２つの端面に当接する状態で支持される。従って、ヒューズ回路構成体より外れることなく確実に押圧力を伝達でき、ヒューズ回路構成体の挿入作業性が向上する。
【図面の簡単な説明】
【図１】本発明の第１実施形態を示し、ヒュージブルリンクユニットの分解斜視図である。
【図２】本発明の第１実施形態を示し、ヒュージブルリンクユニットの正面図である。
【図３】本発明の第１実施形態を示し、図２のＡ−Ａ線断面図である。
【図４】本発明の第１実施形態を示し、図３のＢ−Ｂ線断面図である。
【図５】本発明の第１実施形態を示し、図３のＣ−Ｃ線断面図である。
【図６】本発明の第１実施形態を示し、図３のＤ−Ｄ線断面図である。
【図７】本発明の第２実施形態を示し、第１ヒューズ回路構成体の斜視図である。
【図８】本発明の第２実施形態を示し、第２ヒューズ回路構成体の斜視図である。
【図９】従来例を示し、ヒュージブルリンクユニットの分解斜視図である。
【図１０】従来例を示し、ヒュージブルリンクユニットの斜視図である。
【図１１】従来例を示し、第１ヒューズ回路構成体の正面図である。
【図１２】従来例を示し、第２ヒューズ回路構成体の正面図である。
【図１３】従来例を示し、端子支持部の斜視図である。
【符号の説明】
１  ヒュージブルリンクユニット
２  第１ヒューズ回路構成体（ヒューズ回路構成体）
２Ａ  第１ヒューズ回路構成体（ヒューズ回路構成体）
３  第２ヒューズ回路構成体（ヒューズ回路構成体）
３Ａ  第２ヒューズ回路構成体（ヒューズ回路構成体）
４  ハウジング
５  透明カバー
６  連結プレート部
６ａ  挿入後端部
７、１０、１７  可溶体部
８  雌端子部（端子部）
９  ビス止め用端子部（端子部）
１１、２０  差し込み部
１２、２１  共通端子部
１４、２２  ビス挿通孔
１５  サイドフランジ部
１６  連結プレート部
１６ａ  挿入後端部
１８  雌端子部（端子部）
１９  ビス止め用端子部（端子部）
２３  サイドフランジ部
２５  ボルト
２６  オルタネータ用端子
２７  回路体収容室
２７ａ  開口部
２８  ガイド溝
２９  コネクタハウジング部
３０  端子支持部
３１  側壁部
３２  ナット部材
４０  治具係止用切欠き部
【図１】
2004194432.tif 000003
【図２】
2004194432.tif 000004
【図３】
2004194432.tif 000005
【図４】
2004194432.tif 000006
【図５】
2004194432.tif 000007
【図６】
2004194432.tif 000008
【図７】
2004194432.tif 000009
【図８】
2004194432.tif 000010
【図９】
2004194432.tif 000011
【図１０】
2004194432.tif 000012
【図１１】
2004194432.tif 000013
【図１２】
2004194432.tif 000014
【図１３】
2004194432.tif 000015